(57)【要約】【課題】運転者によるアルコール検査逃れを適切に防止することが可能な飲酒運転防止装置を提供すること。【解決手段】運転者が飲酒状態にあるか否かを検出するための飲酒状態検出手段（１０）と、飲酒状態検出手段の検出結果に基づいて飲酒運転を抑制するための動作を行なう飲酒運転抑制手段（４０、５０、６０）と、運転者の交代を検知する交代検知手段（２０、６２）と、を備え、飲酒運転抑制手段は、車両始動時、及び飲酒運転抑制手段が作動していない状態で交代検知手段により運転者の交代が検知された時に作動を開始し、飲酒状態検出手段により運転者が飲酒状態にないことを示す検出結果が得られた時に作動を終了することを特徴とする、飲酒運転防止装置（１）。【選択図】図１
2008213585.tif 000002
【特許請求の範囲】
【請求項１】
運転者の飲酒状態を検出する飲酒状態検出手段と、
該飲酒状態検出手段の検出結果に基づいて飲酒運転を抑制するための動作を行なう飲酒運転抑制手段と、
運転者の交代を検知する交代検知手段と、を備え、
前記飲酒運転抑制手段は、
車両始動時、及び該飲酒運転抑制手段が作動していない状態で前記交代検知手段により運転者の交代が検知された時に作動を開始し、
前記飲酒状態検出手段により運転者が飲酒状態にないことを示す検出結果が得られた時に作動を終了する、
ことを特徴とする、飲酒運転防止装置。
【請求項２】
請求項１に記載の飲酒運転防止装置であって、
前記飲酒運転抑制手段は、車両の走行制限を行なうことにより飲酒運転を抑制する手段である、
飲酒運転防止装置。
【請求項３】
請求項２に記載の飲酒運転防止装置であって、
車室内に情報を報知する車室内報知手段を備え、
前記飲酒運転抑制手段が作動していない状態で前記交代検知手段により運転者の交代が検知された時に、走行制限を行なう旨を前記車室内報知手段により運転者に報知することを特徴とする、
飲酒運転防止装置。
【請求項４】
請求項１ないし３のいずれかに記載の飲酒運転防止装置であって、
前記飲酒運転抑制手段は、車外に情報を報知する車外報知手段を含み、
前記飲酒運転抑制手段が作動していない状態で前記交代検知手段により運転者の交代が検知された時に、運転者が交代した旨を前記車外報知手段により車外に報知する手段である、
飲酒運転防止装置。
【請求項５】
請求項１ないし４のいずれかに記載の飲酒運転防止装置であって、
前記交代検知手段は、
少なくとも運転者頭部を撮像する撮像手段と、該撮像手段の撮像画像を解析する画像解析手段と、を備え、
前記画像解析手段により前記撮像手段の撮像画像において運転者の顔が認識されない状態が所定時間継続した場合に、運転者の交代が行なわれたことを検知する手段である、
飲酒運転防止装置。
【請求項６】
請求項１ないし５のいずれかに記載の飲酒運転防止装置であって、
前記交代検知手段は、
少なくとも運転者頭部を撮像する撮像手段と、該撮像手段の撮像画像を解析する画像解析手段と、を備え、
前記画像解析手段により前記撮像手段の撮像画像において異なる人物の顔が認識された場合に、運転者の交代が行なわれたことを検知する手段である、
飲酒運転防止装置。
【請求項７】
請求項１ないし６のいずれかに記載の飲酒運転防止装置であって、
前記交代検知手段は、
車両ドアの開閉状態を検出するドア開閉状態検出手段を備え、
該ドア開閉状態検出手段により車両ドアの開閉動作が検出された場合に、運転者の交代が行なわれたことを検知する手段である、
飲酒運転防止装置。
【請求項８】
請求項１ないし７のいずれかに記載の飲酒運転防止装置であって、
前記交代検知手段は、
運転席用シートベルトの着脱状態を検出するシートベルト着脱状態検出手段を備え、
該シートベルト着脱状態検出手段の検出結果を参照し、運転席用シートベルトが装着状態から不装着状態に変化したと判定した場合に、運転者の交代が行なわれたことを検知する手段である、
飲酒運転防止装置。
【請求項９】
請求項１ないし８のいずれかに記載の飲酒運転防止装置であって、
前記交代検知手段は、
運転席における着座状態を検出する着座状態検出手段を備え、
該着座状態検出手段により運転席に着座した者の離席が検出された場合に、運転者の交代が行なわれたことを検知する手段である、
飲酒運転防止装置。
【請求項１０】
請求項１ないし９のいずれかに記載の飲酒運転防止装置であって、
前記交代検知手段は、
運転席における着座状態を検出する着座状態検出手段と、
運転席に着座した者の重量を検出する重量検出手段と、を備え、
着座状態検出手段により運転席に着座した者の離席及び着席が検出された前後において、該重量検出手段により異なる重量が検出されたときに、運転者の交代が行なわれたことを検知する手段である、
飲酒運転防止装置。
【発明の詳細な説明】
【技術分野】
【０００１】
本発明は、飲酒運転を防止するための飲酒運転防止装置に関する。
【背景技術】
【０００２】
近年、安全運転の観点から、例えば運転者の呼気に含まれるアルコールを検出する（以下、唾液や血液等の検出も含め、この種の検出をアルコール検査と総称する）ための検査機器を運転席付近に配設し、当該機器を用いたアルコール検査により運転者が酒気帯び状態や飲酒状態でないことが確認された場合にのみ車両の走行を許可するような装置について研究が進められている。
【０００３】
こうした装置では、運転者以外の者が検出を受けることにより運転者の酒気帯び状態や飲酒状態が看過される事態を、適切に防止する必要がある。すなわち、ある者がアルコール検査を受けることにより酒気帯び状態や飲酒状態でないことの確認を得た後に、他の者が運転席に着座して運転を開始するような行為（以下、検出逃れと称する）を適切に防止する必要がある。
【０００４】
このような検出逃れを防止する配慮がなされている装置の例として、例えば、特許文献１に記載のものが知られている。この装置では、音声識別装置とアルコール検査機器の呼気吹き込み部を近接させ、予め定められた運転者であるか否かを音声により判断すると共に運転者の呼気を吸引し、吸引された呼気にアルコール含まれることが検出された場合に、車両を走行不能にしている。
【特許文献１】特開２００４−３０５４９４号公報
【発明の開示】
【発明が解決しようとする課題】
【０００５】
上記従来の装置においては、特定の運転者が決まった時間に運転を開始するのが予め判明しているような場面（例えば、バスの運行において運転者が交代するような場面等）では、音声による運転者の認識とアルコール検査を同時に行なうから、上記検出逃れをある程度有効に防止することができる。
【０００６】
しかしながら、それ以外の場面（例えば、乗用車の運転が開始されるような場面）では運転者が予め特定されていないため、音声による運転者の認識とアルコール検出を同時に行なったとしても、単に発声した者がアルコール検査を受けたことの確認を得るに過ぎず、これをもって、アルコール検査を受けた者がこれから運転を開始する者であると判断できる十分な根拠とすることはできない。従って、適切に検出逃れを防止することができない。
【０００７】
また、上記の如く予め運転者が判明しているような場合であっても、運転者が音声識別装置から十分に距離をとって発声して認識されると共に他人が装置に呼気を吹きかけて、同様に検出逃れをすることも可能であると推測される。
【０００８】
本発明はこのような課題を解決するためのものであり、運転者によるアルコール検査逃れを適切に防止することが可能な飲酒運転防止装置を提供することを、主たる目的とする。
【課題を解決するための手段】
【０００９】
上記目的を達成するための本発明の一態様は、運転者の飲酒状態を検出する飲酒状態検出手段と、飲酒状態検出手段の検出結果に基づいて飲酒運転を抑制するための動作を行なう飲酒運転抑制手段と、運転者の交代を検知する交代検知手段と、を備え、飲酒運転抑制手段は、車両始動時、及び飲酒運転抑制手段が作動していない状態で交代検知手段により運転者の交代が検知された時に作動を開始し、飲酒状態検出手段により運転者が飲酒状態にないことを示す検出結果が得られた時に作動を終了することを特徴とする、飲酒運転防止装置である。ここで、「飲酒運転を抑制するための動作」とは、例えば、警報の出力、走行の制限（走行の禁止、車速制限、シフトロック等）、車外への音声、視覚による報知、通信による車外への通報、或いはこれらの組み合わせである。
【００１０】
この本発明の一態様によれば、車両始動時に行なわれる最初の飲酒状態検出（アルコール検査）において飲酒状態でないことを示す検出結果が得られた後に、交代検知手段が運転者の交代を検知した場合に、飲酒運転抑制手段が作動する。この結果、一度飲酒状態でないことを示す検出結果が得られた後に、飲酒状態であるかもしれない他の運転者が、飲酒状態にあるか否かの検出（アルコール検査）を受けずに運転を開始することを防止することができる。従って、運転者によるアルコール検査逃れを適切に防止することができる。
【００１１】
本発明の一態様において、飲酒運転抑制手段は、例えば、車両の走行制限を行なうことにより飲酒運転を抑制する手段である。
【００１２】
また、本発明の一態様において、車室内に情報を報知する車室内報知手段を備え、飲酒運転抑制手段が作動していない状態で交代検知手段により運転者の交代が検知された時に、走行制限を行なう旨を車室内報知手段により運転者に報知するものとしてもよい。
【００１３】
また、本発明の一態様において、飲酒運転抑制手段は、例えば、車外に情報を報知する車外報知手段を含み、飲酒運転抑制手段が作動していない状態で交代検知手段により運転者の交代が検知された時に、運転者が交代した旨を車外報知手段により車外に報知する手段である。
【００１４】
また、本発明の一態様において、交代検知手段は、例えば、少なくとも運転者頭部を撮像する撮像手段と、撮像手段の撮像画像を解析する画像解析手段と、を備え、画像解析手段により撮像手段の撮像画像において運転者の顔が認識されない状態が所定時間継続した場合に、運転者の交代が行なわれたことを検知する手段である。
【００１５】
また、本発明の一態様において、交代検知手段は、例えば、少なくとも運転者頭部を撮像する撮像手段と、撮像手段の撮像画像を解析する画像解析手段と、を備え、画像解析手段により撮像手段の撮像画像において異なる人物の顔が認識された場合に、運転者の交代が行なわれたことを検知する手段である。
【００１６】
また、本発明の一態様において、交代検知手段は、例えば、車両ドアの開閉状態を検出するドア開閉状態検出手段を備え、ドア開閉状態検出手段により車両ドアの開閉動作が検出された場合に、運転者の交代が行なわれたことを検知する手段である。
【００１７】
また、本発明の一態様において、交代検知手段は、例えば、運転席用シートベルトの着脱状態を検出するシートベルト着脱状態検出手段を備え、シートベルト着脱状態検出手段の検出結果を参照し、運転席用シートベルトが装着状態から不装着状態に変化したと判定した場合に、運転者の交代が行なわれたことを検知する手段である。
【００１８】
また、本発明の一態様において、交代検知手段は、例えば、運転席における着座状態を検出する着座状態検出手段を備え、着座状態検出手段により運転席に着座した者の離席が検出された場合に、運転者の交代が行なわれたことを検知する手段である。
【００１９】
また、本発明の一態様において、交代検知手段は、例えば、運転席における着座状態を検出する着座状態検出手段と、運転席に着座した者の重量を検出する重量検出手段と、を備え、着座状態検出手段により運転席に着座した者の離席及び着席が検出された前後において、重量検出手段により異なる重量が検出されたときに、運転者の交代が行なわれたことを検知する手段である。
【発明の効果】
【００２０】
本発明によれば、運転者によるアルコール検査逃れを適切に防止することが可能な飲酒運転防止装置を提供することができる。
【発明を実施するための最良の形態】
【００２１】
以下、本発明を実施するための最良の形態について、添付図面を参照しながら実施例を挙げて説明する。
【実施例】
【００２２】
＜第１実施例＞
以下、本発明の第１実施例に係る飲酒運転防止装置１について説明する。
【００２３】
［構成］
図１は、飲酒運転防止装置１の全体構成の一例を示す図である。飲酒運転防止装置１は、主要な構成として、アルコール検査装置１０と、車室内カメラ２０と、イグニッションスイッチ３０と、ＨＭＩ（Human Machine Interface）４０と、エンジンコントロールコンピューター５０と、飲酒運転防止装置用ＥＣＵ（Electronic Control Unit）６０と、を備える。
【００２４】
アルコール検査装置１０は、例えば、運転者の呼気に含まれるアルコール濃度を検出可能な装置であり、呼気吹き込み口や検査用センサーを備える。呼気吹き込み口は、運転席付近に配設される。より具体的には、運転席が車両の右側に在る国産車においては、例えばインストルメントパネルにおけるステアリングコラムの右方部分など、運転席に着座しなければ検査を受けることが困難となる箇所に配設されることが望ましい。これにより、運転者が検査を受けたことの確からしさを高いものにすることができる。呼気吹き込み口に吹き込まれた運転者の呼気は、専用の流路により検査用センサーに供給される。検査用センサーは、例えば、実際に人間の呼気が吹き込まれたことを確認するための圧力センサーや湿度センサー、及び呼気中のアルコール濃度を検出するアルコールガスセンサーを含む。検査用センサーの出力値は、アナログ／デジタル変換器等を介して飲酒運転防止装置用ＥＣＵ６０に送信される。なお、アルコール検査装置１０は、呼気中のアルコール濃度を検出するものに限られず、唾液中アルコール濃度や血中アルコール濃度を検出するものであってもよい。
【００２５】
車室内カメラ２０は、例えば、ルームミラーに周辺等、運転者の少なくとも頭部が撮像可能な位置に配設された、ＣＣＤ（Charge-Coupled Device）やＣＭＯＳ（Complementary Metal Oxide Semiconductor）等の撮像素子を有するカメラである。車室内カメラ２０は、運転者頭部の撮像を定期的（例えば、数［ｍｓ］毎）に行なって、その撮像画像を、例えばＮＴＳＣ（National Television Standards Committee）等のインターレース方式により画像データとして飲酒運転防止装置用ＥＣＵ６０に送信する。
【００２６】
ＨＭＩ４０は、例えば、画像表示を行なうと共にタッチパネルとしてユーザーによる種々の入力操作を可能に構成されたディスプレイ装置や、音声入出力のためのマイク、スピーカー、ブザー等からなる。上記ディスプレイ装置の表示画面上に設定されたＧＵＩ（Graphical User Interface）スイッチになされたタッチ操作や、マイクに対して入力された音声は、ＧＵＩモジュールや音声認識モジュール等を経て、飲酒運転防止装置用ＥＣＵ６０に送信される。また、ディスプレイ装置の表示内容や、スピーカー及びブザーの出力内容は、飲酒運転防止装置用ＥＣＵ６０により決定される。
【００２７】
エンジンコントロールコンピューター５０は、例えば、ＣＰＵを中心としてＲＯＭやＲＡＭ等がバスを介して相互に接続されたコンピューターユニットであり、その他、ＨＤＤ（Hard Disc Drive）やＤＶＤ（Digital Versatile Disk）等の記憶媒体やＩ／Ｏポート、タイマー、カウンター等を備える。ＲＯＭには、ＣＰＵが実行するプログラムやデータが格納されている。エンジンコントロールコンピューター５０は、スロットルモータやイグナイター、スタータモータ、変速機等の制御を一元的に行なっている。また、エンジンコントロールコンピューター５０は、飲酒運転防止装置用ＥＣＵ６０からのエンジン始動信号を受信したときに、スタータモータを駆動してエンジンを始動する。
【００２８】
飲酒運転防止装置用ＥＣＵ６０は、例えば、エンジンコントロールコンピューター５０と同様のハードウエア構成を有するコンピューターユニットである。また、飲酒運転防止装置用ＥＣＵ６０は、ＲＯＭに記憶されたプログラムをＣＰＵがＲＡＭ上に展開（ロード）して実行することにより機能する主要な機能ブロックとして、画像解析部６２と、マスター制御部６４と、を備える。
【００２９】
画像解析部６２は、車室内カメラ２０から送信される画像データを解析し、運転者の存在認識、及び／又は人物認識等を行なう。マスター制御部６４は、後述する特徴的な処理を統括的に制御する。
【００３０】
［動作］
図２は、マスター制御部６４が実行する特徴的な処理の流れを示すフローチャートである。本フローは、車両始動時（例えば、イグニッションスイッチ３０からＡＣＣオン信号が飲酒運転防止装置用ＥＣＵ６０に入力された時）に開始され、車両停止時（例えば、イグニッションスイッチ３０からＡＣＣオフ信号が飲酒運転防止装置用ＥＣＵ６０に入力された時）に自動的に終了する。
【００３１】
まず、飲酒運転防止装置用ＥＣＵ６０は、ＨＭＩ４０を用いて、アルコール検査装置１０によるアルコール検査を受けるように促し（Ｓ１００）、自己の状態を、イグニッションスイッチ３０からイグニッションオン信号を受信しても、エンジンコントロールコンピューター５０にエンジン始動信号を送信しない状態（以下、エンジン始動禁止状態という）とする（Ｓ１０２）。
【００３２】
そして、運転者によりアルコール検査が実行されるのを待ち、呼気中のアルコール濃度が所定濃度未満であるか否かを判定する（Ｓ１０４）。ここで、所定濃度は、例えば警察による飲酒運転検査で用いられるのと同程度の濃度を用いるものとすればよい。呼気中のアルコール濃度が所定濃度以上である場合は、運転者が飲酒状態であると判断し、再度アルコール検査装置１０によるアルコール検査を受けるように促す（Ｓ１００以下）。
【００３３】
呼気中のアルコール濃度が所定濃度未満である場合は、運転者が飲酒状態でないと判断し、自己の状態を、イグニッションスイッチ３０からイグニッションオン信号を受信すると、エンジンコントロールコンピューター５０にエンジン始動信号を送信する状態（以下、エンジン始動許可状態という）とする（Ｓ１０６）。
【００３４】
そして、車室内カメラ２０による運転者頭部の撮像、及び画像解析部６２による画像解析を、当該画像解析により運転者の交代が検知されるまで行なうように、車室内カメラ２０及び画像解析部６２に指示する（Ｓ１０８、Ｓ１１０）。
【００３５】
Ｓ１０８の画像解析においては、例えば、（１）車室内カメラ２０の撮像画像において運転者の顔が認識されない状態が所定時間継続した場合に、運転者の交代が行なわれたことを検知するものとする。運転者が入れ替わるときには、運転席側ドアから出入りするか、運転席側ドアが閉止したまま車室内ですれ違うかに拘らず、本来運転者の顔があるべき位置に人物の顔が撮像されない状態が発生するからである。また、（２）車室内カメラ２０の撮像画像において異なる人物の顔が認識された場合に、運転者の交代が行なわれたことを検知するものとしてもよい。人物認識については、例えば、髪の部分を除外して顔の代表部分（輪郭、目、鼻の中心線、口の両端など）の位置関係、及び各部の形状を把握し、当該位置関係や各部の形状が変化したときに異なる人物の顔であると判断することができる。また、（３）車室内カメラ２０の撮像画像において運転者の顔が認識されない状態が所定時間継続し、且つその前後において異なる人物の顔が認識された場合に、運転者の交代が行なわれたことを検知するものとしてもよい。
【００３６】
運転者の交代が検知されると、ＨＭＩ４０を用いて、運転者の交代を検知したため、アルコール検査を受けて飲酒状態でないという結果を得るまでの間、エンジン始動禁止状態とする旨をアナウンスし（Ｓ１１２）、エンジンを停止するようにエンジンコントロールコンピューター５０に指示し（Ｓ１１４）、自己の状態をエンジン始動禁止状態とする（Ｓ１１６）。
【００３７】
このようなアナウンスを行なうことにより、エンジンが不意に停止して始動禁止状態となったことで、運転者が戸惑うような不都合を回避することができる。なお、運転者の交代が検知されるのは、通常、車両が停止している場合であると想定されるため、エンジンを自動停止しても特段の問題は生じない。しかしながら、運転者の交代が誤検知であった場合等を考慮し、車両が走行中（エンジンコントロールコンピューター５０から提供される車速信号等を参照する）である場合には、直ちにエンジンを停止させるのではなく、（Ａ）エンジンを停止する旨をアナウンスし、（Ｂ）車速上限を徐々に低下させる車速制限制御を行ない、（Ｃ）上記アナウンスから十分な時間が経過した後にエンジンを停止に至らしめる、等の段階的な制御を行なうことが適切である。
【００３８】
そして、Ｓ１０４と同様、運転者によりアルコール検査が実行されるのを待ち、呼気中のアルコール濃度が所定濃度未満であるか否かを判定する（Ｓ１１８）。呼気中のアルコール濃度が所定濃度以上である場合は、エンジン始動禁止状態を維持して、再度アルコール検査装置１０によるアルコール検査が行なわれるのを待つ（Ｓ１１６以下）。
【００３９】
呼気中のアルコール濃度が所定濃度未満である場合は、自己の状態を、エンジン始動許可状態とし（Ｓ１２０）、Ｓ１０８以下の運転者交代検知を再開する。
【００４０】
このように、本実施例の飲酒運転防止装置１では、車両始動時に行なわれる最初のアルコール検査の結果、飲酒状態でないと判定された後に、車室内カメラ２０の撮像画像解析を開始し、これにより運転者の交代を検知した場合に、エンジン停止及びエンジン始動禁止状態とする制御を行なっている。この結果、一度アルコール検査をクリアした後に、飲酒状態であるかもしれない他の運転者が、アルコール検査を受けずに運転を開始することを防止することができる。従って、運転者によるアルコール検査逃れを適切に防止することができる。また、運転者の交代検知は、車室内カメラ２０の撮像画像解析により、十分な精度をもって行なわれる。
【００４１】
なお、車室内カメラ２０の撮像開始を、走行許可状態となった後に開始するのではなく、アルコール検査装置１０の作動と同時、或いは運転者が運転席に着座したことを検知した時など、車両始動時に行なわれる最初のアルコール検査の結果が出力される前から行なってもよい。こうすれば、車室内カメラ２０の撮像動作及び撮像画像解析に要する時間に起因するタイムラグを解消することができる。この場合も、検査中に顔画像と検査後の顔画像が異なる、或いは検査結果の出力後に所定時間顔画像が撮像されない等の場合に、運転者が交代したことを検知することが可能である。
【００４２】
また、本実施例におけるＳ１００〜Ｓ１０２の動作、及びＳ１１２〜Ｓ１１６の動作が、特許請求の範囲における「飲酒運転を抑制するための動作」に相当し、車室内カメラ２０及び画像解析部６２が、「交代検知手段」に相当する。
【００４３】
＜第２実施例＞
以下、本発明の第２実施例に係る飲酒運転防止装置２について説明する。
【００４４】
［構成］
図３は、飲酒運転防止装置２の全体構成の一例を示す図である。飲酒運転防止装置２は、第１実施例の飲酒運転防止装置１と比較すると、車室内カメラ２０に代えて運転席側ドアカーテシランプスイッチ２２を備え、飲酒運転防止装置用ＥＣＵ６０が画像解析部６２を有しない構成となっている。第１実施例と重複する構成要素については同一の符号を付して説明を省略する。
【００４５】
運転席側ドアカーテシランプスイッチ２２は、運転席側ドアの開閉状態を飲酒運転防止装置用ＥＣＵ６０に送信する。なお、当該送信は、ボデー系のＥＣＵ等を介したものであってもよい。
【００４６】
［動作］
図４は、本実施例のマスター制御部６４が実行する特徴的な処理の流れを示すフローチャートである。本フローは、車両始動時（例えば、イグニッションスイッチ３０からＡＣＣオン信号が飲酒運転防止装置用ＥＣＵ６０に入力された時）に開始され、車両停止時（例えば、イグニッションスイッチ３０からＡＣＣオフ信号が飲酒運転防止装置用ＥＣＵ６０に入力された時）に自動的に終了する。本フローチャートを第１実施例で例示した図２のフローチャートと比較すると、Ｓ１０８の撮像及び画像解析に係る処理が除外され、他の処理については、Ｓ１１０の交代検知の内容を除き、同一である。従って、交代検知の手法についてのみ説明し、他の処理については説明を省略する。
【００４７】
本実施例では、運転席側ドアカーテシランプスイッチ２２からの開閉状態信号を参照した結果、運転席側ドアが閉状態から開状態となったと判定されたときに、運転者の交代が行なわれたことを検知する（Ｓ１１０）。これにより、ドアを閉止したまま車室内で運転者が入れ替わるような特殊なケースを除き、運転者の交代を適切に検知することができる。また、運転席側ドアカーテシランプスイッチ２２からの開閉状態信号を参照した結果、運転席側ドアが開状態から閉状態となったと判定されたときに、運転者の交代が行なわれたことを検知するものとしてもよい。
【００４８】
本実施例の飲酒運転防止装置２では、車両始動時に行なわれる最初のアルコール検査の結果、飲酒状態でないと判定された後に運転者の交代を検知した場合に、エンジン停止及びエンジン始動禁止状態とする制御を行なっている。この結果、一度アルコール検査をクリアした後に、飲酒状態であるかもしれない他の運転者が、アルコール検査を受けずに運転を開始することを防止することができる。従って、運転者によるアルコール検査逃れを適切に防止することができる。
【００４９】
＜第３実施例＞
以下、本発明の第３実施例に係る飲酒運転防止装置３について説明する。
【００５０】
［構成］
図５は、飲酒運転防止装置３の全体構成の一例を示す図である。飲酒運転防止装置３は、第１実施例の飲酒運転防止装置１と比較すると、車室内カメラ２０に代えてシートベルトバックルスイッチ２３を備え、飲酒運転防止装置用ＥＣＵ６０が画像解析部６２を有しない構成となっている。第１実施例と重複する構成要素については同一の符号を付して説明を省略する。
【００５１】
シートベルトバックルスイッチ２３は、運転席用シートベルトの着脱状態を飲酒運転防止装置用ＥＣＵ６０に送信する。なお、当該送信は、シートベルト専用のＥＣＵやプリクラッシュ制御用のＥＣＵ等を介したものであってもよい。
【００５２】
［動作］
本実施例のマスター制御部６４が実行する特徴的な処理の流れについては、第２実施例で例示した図４のフローチャートを参照するものとする。本実施例と第２実施例の処理の流れの相違点はＳ１１０の交代検知の内容のみであるため、交代検知の手法についてのみ説明し、他の処理については説明を省略する。
【００５３】
本実施例では、シートベルトバックルスイッチ２３からの着脱状態信号を参照した結果、運転席用シートベルトの状態が装着状態（バックルが嵌められた状態）から不装着状態（バックルが外された状態）に変化したと判定されたときに、運転者がシートベルトを外す動作を行なったものと判断して、運転者の交代が行なわれたことを検知する（Ｓ１１０）。シートベルトの着用は法的に義務付けられており、且つシートベルトを装着したまま運転者が交代するのはかなり困難であるため、係る構成、制御によって運転者の交代を適切に検知することができる。
【００５４】
本実施例の飲酒運転防止装置３では、車両始動時に行なわれる最初のアルコール検査の結果、飲酒状態でないと判定された後に運転者の交代を検知した場合に、エンジン停止及びエンジン始動禁止状態とする制御を行なっている。この結果、一度アルコール検査をクリアした後に、飲酒状態であるかもしれない他の運転者が、アルコール検査を受けずに運転を開始することを防止することができる。従って、運転者によるアルコール検査逃れを適切に防止することができる。
【００５５】
＜第４実施例＞
以下、本発明の第４実施例に係る飲酒運転防止装置４について説明する。
【００５６】
［構成］
図６は、飲酒運転防止装置４の全体構成の一例を示す図である。飲酒運転防止装置３は、第１実施例の飲酒運転防止装置１と比較すると、車室内カメラ２０に代えて着座センサー２４を備え、飲酒運転防止装置用ＥＣＵ６０が画像解析部６２に代えて重量算出部６３を有する構成となっている。第１実施例と重複する構成要素については同一の符号を付して説明を省略する。
【００５７】
着座センサー２４は、例えば、運転席の着座面に配設された、ストレンゲージやロードセル、ダイアフラム、ベローズ等の圧力センサーであり、運転者が着座することにより生じる圧力を飲酒運転防止装置用ＥＣＵ６０に出力する。
【００５８】
重量算出部６３は、着座センサー２４の出力値に対して所定の関数、マップ等を適用することにより、運転者の重量を算出（推定）する。
【００５９】
［動作］
本実施例のマスター制御部６４が実行する特徴的な処理の流れについては、第２実施例で例示した図４のフローチャートを参照するものとする。本実施例と第２実施例の処理の流れの相違点はＳ１１０の交代検知の内容のみであるため、交代検知の手法についてのみ説明し、他の処理については説明を省略する。
【００６０】
本実施例では、着座センサー２４の出力値を参照した結果、運転者の離席及び着席がなされたと判定され、且つその前後において重量算出部６３により算出される重量が所定重量（或いは所定割合）以上異なる場合に、運転者の交代が行なわれたことを検知する（Ｓ１１０）。運転者の離席及び着席の判定については、着座センサー２４の出力値が所定範囲内に収まるか否かにより行なうことができる。運転者が交代するときには当然に運転席からの離席、及び他の運転者の着席を伴うため、係る構成、制御によって運転者の交代を適切に検知することができる。
【００６１】
なお、本実施例において、着座センサー２４の出力値を参照した結果、運転者の離席及び着席がなされたと判定された場合に、運転者の交代が行なわれたことを検知する（Ｓ１１０）ものとしてもよい。こうすれば、重量算出部６３は不要となる。
【００６２】
本実施例の飲酒運転防止装置４では、車両始動時に行なわれる最初のアルコール検査の結果、飲酒状態でないと判定された後に運転者の交代を検知した場合に、エンジン停止及びエンジン始動禁止状態とする制御を行なっている。この結果、一度アルコール検査をクリアした後に、飲酒状態であるかもしれない他の運転者が、アルコール検査を受けずに運転を開始することを防止することができる。従って、運転者によるアルコール検査逃れを適切に防止することができる。
【００６３】
＜その他の実施例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【００６４】
例えば、飲酒運転を抑制するための動作を行なう飲酒運転抑制手段の例として、ＨＭＩ４０を用いてアルコール検査を促すと共に、（エンジン始動後であればエンジンを停止させ）エンジン始動禁止状態とすることを例示したが、これに限定されるものではない。例えば、エンジンを停止させて始動を禁止するのではなく、車速を一定速度（例えば、１０〜２０［ｋｍ／ｈ］程度）に制限するものであってもよい。
【００６５】
また、飲酒運転抑制手段の他の例として、図７に示す如く、車外報知手段（スピーカーやブザーによる音声報知、ランプ等を用いた発光・表示による報知のいずれでもよい）７０を備え、運転者が交代してからアルコール検査をクリアするまでの間、交代した運転者がアルコール検査をクリアしていない状態であることを車外に示すものであってもよい。こうすれば、警察等の第三者がこれを確認することができ、運転者がアルコール検査をクリアせずに車両を走行させることに対する抑止力となる。
【００６６】
また、飲酒運転抑制手段の他の例として、図８に示す如く、無線通信装置７２を備え、運転者が交代してからアルコール検査をクリアするまでの間、無線基地局７４やネットワーク７６等を介して車外設備７８（警察の設備等）に対し、交代した運転者がアルコール検査をクリアしていない状態である旨の情報送信を行なうものとしてもよい。こうすれば、警察等の第三者がこれを確認することができ、アルコール検査をクリアしていない状態が長い場合は取り締まりの対象とする等の運用が可能となるため、運転者がアルコール検査をクリアせずに車両を走行させることに対する抑止力となる。
【００６７】
また、運転者の交代検知に関しても、種々の置換が可能である。例えば、図９に示す如く、車室内カメラ２０、運転席側ドアカーテシランプスイッチ２２、シートベルトバックルスイッチ２３、着座センサー２４、画像解析部６２、重量算出部６３を備える構成とし、図１０に示す如く、画像解析により運転者の交代が検知されたか否かを判定し（Ｓ２００：判定１）、運転席側ドアの開放状態が検知されたか否かを判定し（Ｓ２０２：判定２）、シートベルトの不装着状態が検出されたか否かを判定し（Ｓ２０４：判定３）、運転者の離席及び着席がなされたと判定され、且つその前後において重量算出部６３により算出される重量が所定重量（或いは所定割合）以上異なるか否かを判定し（Ｓ２０６：判定４（単に運転者の離席及び着席がなされたか否かを判定してもよい））、全てにおいて肯定的な判定を得た場合に、運転者が交代したことを検知（Ｓ２０８）してもよい。また、図１１に示す如く、上記判定１〜４のいずれかにおいて肯定的な判定を得た場合に、運転者が交代したことを検知してもよい。更に、判定１〜４のうち任意に選択された幾つかの判定の全てにおいて肯定的な判定を得た場合、或いは、判定１〜４のうち任意に選択された幾つかの判定のいずれかにおいて肯定的な判定を得た場合に運転者が交代したことを検知してもよい。図１２に後者の場合のフローチャートの一例を示す。なお、これらの例においても、車外への報知や情報送信を、飲酒運転を抑制するための動作として行なってもよいのは勿論である。
【産業上の利用可能性】
【００６８】
本発明は、自動車製造業や自動車部品製造業等に利用可能である。
【図面の簡単な説明】
【００６９】
【図１】第１実施例に係る飲酒運転防止装置１の全体構成の一例を示す図である。
【図２】第１実施例に係るマスター制御部６４が実行する特徴的な処理の流れを示すフローチャートである。
【図３】第２実施例に係る飲酒運転防止装置２の全体構成の一例を示す図である。
【図４】第２、第３、第４実施例に係るマスター制御部６４が実行する特徴的な処理の流れを示すフローチャートである。
【図５】第３実施例に係る飲酒運転防止装置３の全体構成の一例を示す図である。
【図６】第４実施例に係る飲酒運転防止装置４の全体構成の一例を示す図である。
【図７】飲酒運転抑制手段の他の例を示す図である。
【図８】飲酒運転抑制手段の他の例を示す図である。
【図９】その他の実施例に係る飲酒運転防止装置の全体構成の一例を示す図である。
【図１０】飲酒運転防止装置が実行する特徴的な処理の流れを示すフローチャートの他の例である。
【図１１】飲酒運転防止装置が実行する特徴的な処理の流れを示すフローチャートの他の例である。
【図１２】飲酒運転防止装置が実行する特徴的な処理の流れを示すフローチャートの他の例である。
【符号の説明】
【００７０】
１、２、３、４  飲酒運転防止装置
１０  アルコール検査装置
２０  車室内カメラ
２２  運転席ドアカーテシランプスイッチ
２３  シートベルトバックルスイッチ
２４  着座センサー
３０  イグニッションスイッチ
４０  ＨＭＩ
５０  エンジンコントロールコンピューター
６０  飲酒運転防止装置用ＥＣＵ
６２  画像解析部
６３  重量算出部
６４  マスター制御部
７０  車外報知手段
７２  無線通信装置
７４  無線基地局
７６  ネットワーク
７８  車外設備
【図１】
2008213585.tif 000003
【図２】
2008213585.tif 000004
【図３】
2008213585.tif 000005
【図４】
2008213585.tif 000006
【図５】
2008213585.tif 000007
【図６】
2008213585.tif 000008
【図７】
2008213585.tif 000009
【図８】
2008213585.tif 000010
【図９】
2008213585.tif 000011
【図１０】
2008213585.tif 000012
【図１１】
2008213585.tif 000013
【図１２】
2008213585.tif 000014